(57)【要約】【課題】従来技術は、単に、知育玩具を幼児や子供等に使用させるものであり、使用の結果期待している知能の発育や学習効果等を、自動的に評価できるものでなかった。【解決手段】本発明は、１以上の積木部品から積木部品情報を取得する積木部品情報取得部と、積木部品情報を情報解析装置に送信する積木部品情報送信部を具備する情報取得装置である。また、積木部品情報を受信する積木部品情報受信部と、積木部品情報に基づいて積木作業情報または／およびユーザーの知能に関する情報を出力する情報出力部を具備する情報解析装置である。かかる１以上の積木部品と情報取得装置と情報解析装置を有する情報処理システムにより、積木部品情報に基づいて積木作業情報（例えば、積木部品情報等）または／およびユーザーの知能に関する情報（例えば、性格、知能レベル等）を自動的に出力することができる。【選択図】  図１
2004271960.tif 000002
【特許請求の範囲】
【請求項１】
１以上の積木部品と、情報取得装置と、情報解析装置を有する情報処理システムであって、
前記積木部品は、
当該積木部品に関する情報である積木部品情報を格納しており、
前記情報取得装置は、
１以上の積木部品から積木部品情報を取得する積木部品情報取得部と、
前記積木部品情報を前記情報解析装置に送信する積木部品情報送信部を具備し、前記情報解析装置は、
前記積木部品情報を受信する積木部品情報受信部と、
前記積木部品情報に基づいて、積木作業情報または／およびユーザーの知能に関する情報を出力する情報出力部を具備する情報処理システム。
【請求項２】
前記情報出力部は、前記積木部品情報とユーザーの属性情報に基づいて、積木作業情報または／およびユーザーの知能に関する情報を出力する請求項１記載の情報処理システム。
【請求項３】
前記情報出力部が出力するユーザーの知能に関する情報は、ユーザーの将来の発育に関する情報も含む請求項１または請求項２いずれか記載の情報処理システム。
【請求項４】
前記情報取得装置は、
前記積木部品が設置された空間内の位置に関する情報である位置情報を取得する位置情報取得部をさらに具備し、
前記積木部品情報送信部は，前記位置情報と前記積木部品情報を対に送信し、
前記積木部品情報受信部は、前記位置情報と前記積木部品情報を受信し、
前記情報出力部は、１対以上の位置情報と積木部品情報に基づいて、
積木作業情報または／およびユーザーの知能に関する情報を出力する請求項１から請求項３いずれか記載の情報処理システム。
【請求項５】
請求項１から請求項３いずれか記載の情報処理システムを構成する積木部品。
【請求項６】
請求項１から請求項３いずれか記載の情報処理システムを構成する情報取得装置。
【請求項７】
マット状の形状を有する請求項５記載の情報取得装置。
【請求項８】
請求項１から請求項３いずれか記載の情報処理システムを構成する情報解析装置。
【請求項９】
１以上の積木部品から取得した積木部品情報に基づいて、
積木作業情報または／およびユーザーの知能に関する情報を出力する情報解析装置。
【請求項１０】
１以上の積木部品から取得した積木部品情報と、
前記積木部品が設置された空間内の位置に関する情報である位置情報に基づいて、
積木作業情報または／およびユーザーの知能に関する情報を出力する情報解析装置。
【請求項１１】
コンピュータに、
積木部品情報を受信する積木部品情報受信ステップと、
当該積木部品情報に基づいて、積木作業情報または／およびユーザーの知能に関する情報を出力する情報出力ステップを実行させるプログラム。
【請求項１２】
コンピュータに、
１以上の積木部品から積木部品情報を取得する積木部品情報取得ステップと、
積木部品情報を情報解析装置に送信する積木部品情報送信ステップを実行させるプログラム。
【請求項１３】
コンピュータに、
積木部品情報を受信する積木部品情報受信ステップと、
積木部品情報とユーザー属性情報に基づいて、積木作業情報または／およびユーザーの知能に関する情報を出力する情報出力ステップを実行させるプログラム。
【請求項１４】
コンピュータに、
１以上の積木部品から積木部品情報を取得する積木部品情報取得ステップと、
積木部品が設置された空間内の位置に関する情報である位置情報を取得する位置情報取得ステップと、
前記積木部品情報と前記位置情報を送信する積木部品情報送信ステップを実行させるプログラム。
【請求項１５】
コンピュータに、
積木部品情報と位置情報を受信する積木部品情報受信ステップと、
前記積木部品情報と前記位置情報に基づいて、積木作業情報または／およびユーザーの知能に関する情報を出力する情報出力ステップを実行させるプログラム。
【発明の詳細な説明】
【０００１】
【発明の属する技術分野】
本発明は、積木、ブロック、パズル等の玩具を用いて、知能に関する情報を解析する情報処理システム等に関するものである。
【０００２】
【従来の技術】
従来技術として、積木やブロック、パズル等の知育玩具は、幼児、子供等の教育に利用されている。幼児や子供等が、知育玩具で遊ぶことで、幼児や子供等の知能の発育や学習効果が得られるものである。また、知育玩具は、知的障害者や身体障害者等のリハビリに役立つものとして、リハビリの現場等で利用されている。（特許文献１参照）。
【０００３】
【特許文献１】
特開２０００−３３４１７９号公報（第１頁、第１図等）
【０００４】
【発明が解決しようとする課題】
しかしながら、従来技術は、単に、知育玩具を幼児や子供等に与え、使用させるものであり、使用の結果期待している知能の発育や学習効果等について、自動的に評価できるものでなかった。
【０００５】
【課題を解決するための手段】
以上の課題を解決するために、本発明は、１以上の積木部品から積木部品情報を取得する積木部品情報取得部と、積木部品情報を情報解析装置に送信する積木部品情報送信部を具備する情報取得装置である。また、積木部品情報を受信する積木部品情報受信部と、積木部品情報に基づいて、積木作業情報または／およびユーザーの知能に関する情報を出力する情報出力部を具備する情報解析装置である。かかる１以上の積木部品と、情報取得装置と、情報解析装置を有する情報処理システムにより、積木部品情報に基づいて、積木作業情報または／およびユーザーの知能に関する情報（例えば、性格、知能レベル等）を自動的に出力することができるものである。また、積木作業情報または／およびユーザーの知能に関する情報を出力することで、ユーザーの特に、幼児や子供の知能の発育や学習効果等、障害者のリハビリの効果等について、容易、かつ、正確に認識できるものである。
【０００６】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００７】
（実施の形態１）
図１は、本実施の形態における積木部品１０１０、１０１１および１０１２と、情報取得装置１０２と情報解析装置１０３を有する情報処理システムの構成を示すブロック図である。情報取得装置１０２は、積木部品情報取得部１０２１、積木部品情報送信部１０２２を有する。情報解析装置１０３は、積木部品情報受信部１０３１、情報出力部１０３２を有する。また、情報出力部１０３２は、情報構成手段１０３２１、情報出力手段１０３２２を有する。なお、本実施の形態において、積木部品は３つであるが、４つ以上あっても良いことはいうまでもない。
【０００８】
積木部品１０１０、１０１１および１０１２は、積木部品に関する情報である積木部品情報を格納している。この積木部品情報は、例えば、識別番号の情報、色の情報、形状の情報、大きさの情報等を含む。なお、積木部品情報のデータ構造等は、問わない。積木部品１０１０、１０１１および１０１２は、例えば、無線タグを具備して構成されうる。この無線タグは、積木部品情報を格納する。また、積木部品１０１０、１０１１および１０１２は、例えば、積木部品情報を格納する情報格納部と、積木部品情報を送信する情報送信部を有して構成しても良い。かかる場合、情報格納部は、不揮発性の記録媒体が好適であるが、揮発性の記録媒体でも良い。また、情報送信部は、例えば、無線通信手段（無線通信回路等）等から構成される。
【０００９】
積木部品情報取得部１０２１は、積木部品が送信した積木部品情報を取得する。また、積木部品情報取得部１０２１は、受信した電波の強さを測定して、積木部品が形状図と一致する場所に置かれた場合に、場所合致情報を「１」にする。かかる場合、積木部品情報取得部１０２１は、例えば、電界強度測定器、磁界強度測定器、電力密度測定器等を有する。なお、詳細は後述する。積木部品情報取得部１０２１は、通常、ソフトウェアから構成されるが、ハードウエア（専用回路）により実現しても良い。また、積木部品情報取得部１０２１は、例えば、マット状の形状のものに、１以上の無線タグリーダーを貼付等して構成されうる。また、ＣＣＤカメラ等の画像入力手段等で構成しても良い。かかる場合、積木部品情報取得部１０２１は、ＣＣＤカメラで取得した画像データから積木部品の色また形状等を検出する処理をし、当該色または形状等が、予めメモリに記録してある色のデータまたは形状等のデータと比較して、一致若しくは、ほぼ近似する色または形状等を検出する手段でも良い。また、積木部品情報が積木部品の無線通信手段等の情報送信部から送信される場合には、積木部品情報取得部１０２１は、例えば、ネットワークカードとそのドライバーソフト等から構成されうる。
【００１０】
積木部品情報送信部１０２２は、受信した積木部品情報と場所合致情報を、情報解析装置１０３に送信する。積木部品情報送信部１０２２は、例えば、ネットワークカードとそのドライバーソフト等から構成される。
【００１１】
積木部品情報受信部１０３１は、積木部品情報送信部１０２２が送信した積木部品情報と場所合致情報を受信する。積木部品情報受信部１０３１は、例えば、ネットワークカードとそのドライバーソフト等をから構成される。
【００１２】
情報出力部１０３２の情報構成手段１０３２１は、積木部品情報受信部１０３１が受信した積木部品情報と場所合致情報に基づいて、ここで積木作業情報は、ユーザーが積木部品を使用したこと（作業したこと）に関する情報であり、例えば、１以上の積木部品情報等や、積木部品を用いて行った積木作業の結果を示す完成した積木のイメージを示す情報等である。また、ユーザーの知能に関する情報は、ユーザーが積木部品を使用したことに対応する知能に関する情報であり、例えば、性格、知能レベル、学習能力等を有する。情報構成手段１０３２１は、通常、ソフトウェアから構成されるが、ハードウエア（専用回路）により実現しても良い。
【００１３】
情報出力手段１０３２２は、情報構成手段１０３２１が構成した積木作業情報または／およびユーザーの知能に関する情報を出力する。この出力とは、ディスプレイ等への表示が好適であるが、スピーカーからの音出力やプリンタへの印刷でも良い。情報出力手段１０３２２は、例えば、ディスプレイとそのドライバーソフトにより実現され得る。また、情報出力手段１０３２２は、ディスプレイ等の出力デバイスを含まなくても良い。かかる場合、情報出力手段１０３２２は、情報解析装置１０３が有する、または、外付けのディスプレイに積木作業情報または／およびユーザーの知能に関する情報を出力指示する。さらに、情報出力手段１０３２２は、積木作業情報または／およびユーザーの知能に関する情報を音で出力する場合には、スピーカーとそのドライバーソフトを有しても良い。また、情報出力手段１０３２２は、外部の情報処理装置等に送信等することでも良い。かかる場合、情報出力手段１０３２２は、ネットワークカードとそのドライバーソフト等により実現される。
【００１４】
積木部品１０１０、１０１１、１０１２の動作は、例えば、利用者が積木部品１０１０、１０１１、１０１２を、情報取得装置１０２のマット上に載せた場合において、積木部品１０１０、１０１１、１０１２が具備する無線タグが、積木部品情報をマットに貼付した無線タグリーダーに送信する、動作である。
【００１５】
情報取得装置１０２の動作は、例えば、無線タグリーダーを具備する積木部品情報取得部１０２１が、積木部品１０１０、１０１１、１０１２が具備する無線タグが送信した積木部品情報を取得し、受信した電波の強さを測定して、当該電波の強さに基づいて、場所合致情報を取得し、積木部品情報と場所合致情報を積木部品情報送信部１０２２が情報解析装置１０３に送信する、動作である。また。本実施の形態では、積木部品情報を取得後、送信するものだが、積木部品情報取得部１０２１が積木部品情報を取得して、蓄積し、一定時間経過（例えば、最初に積木部品情報を取得してから１時間）後に、積木部品情報送信部１０２２が蓄積した積木部品情報を送信するものでも良い。かかる場合、積木部品情報取得部１０２１は、積木部品情報を蓄積する記録媒体と時計を有する。この記録媒体は、不揮発性の記録媒体が好適であるが、揮発性の記録媒体でも良い。また、この蓄積は、一時的に、キャッシュやメモリ等に記録することを含む。
【００１６】
以下、本実施の形態における情報解析装置１０３の動作について図２のフローチャートを用いて説明する。
【００１７】
（ステップＳ２０１）積木部品情報受信部１０３１は、積木部品情報と場所合致情報を受信したか否かを判断する。当該積木部品情報と場所合致情報を受信すれば、ステップＳ２０２に行き、受信しなければ、ステップＳ２０１に戻る。また、積木部品情報と場所合致情報を受信すれば、情報構成手段１０３２１は、積木部品情報受信部１０３１が受信した時刻を積木部品情報と場所合致情報に対応づけて、順次記録する。
【００１８】
（ステップＳ２０２）情報構成手段１０３２１は、ステップＳ２０１で最初に積木部品情報を取得した時刻から一定時間経過したか否かを判断する。一定時間経過していれば、ステップＳ２０３に行き、一定時間経過していなければ、ステップＳ２０１に戻る。
【００１９】
（ステップＳ２０３）情報構成手段１０３２１は、各種カウンタを初期化する。また、カウンタｉを１にする。
【００２０】
（ステップＳ２０４）情報構成手段１０３２１は、ｉ番目の積木部品情報が存在するか否かを判断する。ｉ番目の積木部品情報が存在する場合、ステップＳ２０５に行く。ｉ番目の積木部品情報が存在しない場合、ステップＳ２１０に行く。
【００２１】
（ステップＳ２０５）情報構成手段１０３２１は、ｉ番目の積木部品が所定の位置に置かれたか否かを判断する。この判断は、場所合致情報が「１」の場合に所定の位置に置かれたものとする。所定の位置に置かれた場合、ステップＳ２０６に行く。所定の位置に置かれていない場合、ステップＳ２０７に行く。
【００２２】
（ステップＳ２０６）情報構成手段１０３２１は、カウンタＭを１カウントアップする。このカウンタＭの値は、知能レベルを判断する指標に用いるものであり、例えば、Ｍの増加に比例して、知能レベルも高いこと等が判断できる。
【００２３】
（ステップＳ２０７）情報構成手段１０３２１は、ｉ番目の積木部品の色と一致する色のカウンタを１カウントアップする。例えば、ｉ番目の積木部品の色が「赤」である場合、該当する「赤」のカウンタを１カウントアップする。ここで、色の数量を算出するのは、情報構成手段１０３２１が、使用された積木部品の色に応じて、知能レベル、性格等を判断するものだからである。
【００２４】
（ステップＳ２０８）情報構成手段１０３２１は、ｉ番目の積木部品の形状と一致する形状のカウンタを１カウントアップする。例えば、ｉ番目の積木部品の形状が「丸」である場合、該当する「丸」のカウンタを１カウントアップする。ここで、形状の数量を算出するのは、情報構成手段１０３２１が、使用された積木部品の形状に応じて、知能レベル、性格等を判断するものだからである。
【００２５】
（ステップＳ２０９）情報構成手段１０３２１は、カウンタｉを１カウントアップする。そして、ステップＳ２０４に戻る。
【００２６】
（ステップＳ２１０）情報構成手段１０３２１は、ステップＳ２０６で算出したカウンタＭをキーとして、場所合致数に対応する知能データから該当する情報を検索し取得する。また、情報構成手段１０３２１は、ステップＳ２０１で受信した最初の時刻から、最後に受信した時刻までの時間をキーとして、遊び時間に対応する知能データから該当する情報を検索し取得する。ここで、それぞれの知能データは、情報構成手段１０３２１に内蔵のメモリに予め記録されている情報である。知能データは、知能に関する情報であり、例えば、場所合致情報、知能レベル、性格、積木部品の色、形状、積木部品で遊んだ時間等の情報が相互に関係づけられた情報のデータである。なお、この知能データの構造は、問わない。
【００２７】
（ステップＳ２１１）情報構成手段１０３２１は、すべての積木部品情報の色と、その数量をキーとして、色に対応する知能データから該当する情報を検索し取得する
【００２８】
（ステップＳ２１２）情報構成手段１０３２１は、すべての積木部品情報の形状と、その数量をキーとして、形状に対応する知能データから該当する情報を検索し取得する
【００２９】
（ステップＳ２１３）情報出力手段１０３２２は、ステップＳ２１０、ステップＳ２１１、ステップＳ２１２で、取得したそれぞれの情報と積木部品情報を出力する。この出力後、動作は終了する。
【００３０】
以上、情報解析装置１０３が積木部品情報を受信して、当該積木部品情報に基づいて、積木作業情報または／およびユーザーの知能に関する情報を出力する動作について図２のフローチャートを用いて説明した。なお、図２のフローチャートにおいて、情報解析装置１０３の電源がＯＮ状態であり、積木部品情報を受信できる状態にある。
【００３１】
以下、本実施の形態における情報処理システムの具体的な動作について説明する。
【００３２】
図３は、本実施形態の情報処理システムの外観の例を示す。今、情報取得装置３０２と情報解析装置３０３は、インターネットを介して接続されている。
【００３３】
今、積木部品３０１は、無線タグを具備し、積木部品情報を格納している。この積木部品情報は、例えば、積木部品番号、色、形状等である。
【００３４】
また、情報取得装置３０２は、複数の無線タグリーダーを具備するマット状の形状のものである。このマットの表面には、積木部品の形状と色が判別できうるように、形状図３０２１が描かれている。また、マットに描かれた、形状図には、１の無線タグリーダーが貼付してある。ここで、無線タグリーダーと無線タグの通信する周波数は、一対ごとに異なる周波数である。例えば、積木部材をマットに置いた場合に、積木部品が具備する無線タグが、形状図に貼付した無線タグリーダーに送信する。無線タグリーダーは、受信した電波の強さから、積木部品が形状図と一致する場所に置かれたか否かを判断する。この電波の強さとは、電界強度、磁界強度、電力密度等で現される数値であり、それぞれ、電界強度測定器、磁界強度測定器、電力密度測定器等で測定できる。電波の強さがほぼ所定の値である場合には、積木部品が形状図と一致する場所に置かれたとして、積木部品情報に対応づけて、場所合致情報「１」も送信する。また、電波の強さがほぼ所定の値でない場合には、積木部品が形状図と一致する場所に置かれていないとして、積木部品情報に対応づけて、場所合致情報「０」も送信する。この所定の値は、予め、メモリに記録されている値であり、積木部品が形状図と一致する場所に置かれた際に無線タグリーダーが受信した電波の強さである。この所定の値は、例えば、電界強度の実効値、磁界強度の実効値等である。また、積木部品が具備する無線タグが固有の識別番号（例えば、１）を含む積木部品情報を有し、その識別番号（１）に対応する識別番号を無線タグリーダーが有するものとする。例えば、無線タグリーダー（１）の上に、積木部品（１）がおかれた場合には、無線タグリーダー（１）は、積木部品情報を受信し、積木部品情報送信部は、識別番号（１）を含む積木部品情報と無線タグリーダーの識別番号（１）と対応付けて送信する。かかる場合に、情報解析装置が、それらの識別番号が一致する場合に、積木部品が形状図と一致する場所に置かれたと判断する。
【００３５】
今、ユーザーは、積木部品３０１を手に持っている。また、積木部品３０１１は、すでに、積木部品３０１１の形状と色が一致する形状図におかれた状態である。図４は、マット上の積木部品の外観の例を示す。図４において、ユーザーは、積木部品４０１を、マット４０２の上に置いた。積木部品が具備する無線タグは、その無線タグ固有の通信周波数で積木部品情報を送信する。送信した積木部品情報は、その通信周波数で受信できる無線タグリーダーを具備する積木部品情報取得部が取得する。積木部品情報取得部は、受信した電波の強さが、ほぼ所定値であるか否かを判断する。ほぼ所定値であれば、場所合致情報として「１」を送信する。
【００３６】
積木情報部品送信部は、積木情報部品取得部が積木部品情報を取得し、そして、受信した電波の強さがほぼ所定値であるか否かを判断した後、積木部品情報と場所合致情報「１」を対応付けて、情報解析装置３０３に送信する。情報取得装置は、積木部品がマットに置かれるごとに、以上の処理を繰り返す。図５は、積木部品情報と場所合致情報の例を示す。図５において、積木部品情報は、識別番号が「１」、色が「赤」、形状が「丸」である。場所合致情報は「１」である。
【００３７】
情報解析装置３０３の積木部品情報受信部は、情報取得装置３０２が送信した積木部品情報と場所合致情報を、順次受信する。
【００３８】
情報構成手段は、積木部品情報受信部が受信した積木部品情報と場所合致情報と受信時刻を対応付けて、情報構成手段が有するメモリに順次記憶する。なお、情報構成手段は、情報解析装置が有する時計から、受信時刻を検出する。図６は、積木部品情報、場所合致情報および受信時刻の例を示す図である。図６において、積木部品情報は、例えば、識別番号「３」、色「黄」、形状「四角」である。場所合致情報は、場所「０」である。また、受信時刻は、「１４：０２」である。
【００３９】
次に、情報構成手段は、最初に積木部品情報を取得した時刻から一定時間経過すれば、知能に関する情報を構成することを開始する。この一定時間は、例えば、６０分等である。
【００４０】
情報構成手段は、記録された積木情報と場所合致情報を順次読み込み、記録されたすべての積木情報と場所合致情報について、以下の処理を繰り返す。
【００４１】
情報構成手段は、場所合致情報が「１」である場合には、カウンタＭを１カウントアップする。また、場所合致情報が「０」である場合には何もしない（ｎｏｐ）。
【００４２】
次に、情報構成手段は、積木部品情報の色が、例えば、「赤」である場合には、「赤」のカウンタを１カウントアップする。また、積木部品情報の色が、例えば、「青」である場合には、「青」のカウンタを１カウントアップする。
【００４３】
次に、情報構成手段は、積木部品情報の形状が、例えば、「丸」である場合には、「丸」のカウンタを１カウントアップする。また、積木部品情報の形状が、例えば、「三角」である場合には、「三角」のカウンタを１カウントアップする。
【００４４】
次に、情報構成手段は、すべての積木情報と場所合致情報について以上の処理が終了したら、カウンタＭをキーとして、場所合致数に対応する知能データを検索し、該当する情報を取得する。図７は、場所合致数に対応する知能データの例を示す図である。図７において、情報構成手段は、例えば、Ｍの「５」をキーとして、場所合致数に対応する知能データを検索し、該当する知能レベル「３歳児」と、コメント「平面図と立体図を結び付けられる段階である」を検索する処理を行っている。ここで、知能レベルは、Ｍの増加に比例して、０歳児から５歳児までの段階毎に対応付けられている。なお、この対応付けは、他のものでも良い。
【００４５】
次に、情報構成手段は、積木部品情報を最初に受信した時刻から、最後の積木部品情報が取得した時刻までの時間をキーとして、遊び時間に対応する知能データから該当する情報を検索し取得する。今、積木部品情報を最初に受信した時刻から、最後の積木部品情報が取得した時刻までの時間は５０分である。図８は、遊び時間に対応する知能データの例を示す図である。図８において、情報構成手段は、例えば、時間の「５０」をキーとして、遊び時間に対応する知能データを検索し、該当する知能レベル「３歳児」と、コメント「一般的なレベルである」を検索する処理を行っている。ここで、知能レベルは、時間に対応して、０歳児から５歳児までの段階毎に対応付けられている。なお、この対応付けは、他のものでも良い。
【００４６】
次に、情報構成手段は、色をキーとして、色に対応する知能データを検索し、該当する情報を取得する。図９は、色に対応する知能データの例を示す図である。図９において、情報構成手段は、例えば、色が「赤」、数量が「４」をキーとして、色に対応する知能データを検索し、該当する知能レベル「３歳児」と、該当するコメント「情熱的な性格である」を検索する処理を行っている。また、色が「青」、数量が「１」をキーとして、該当する知能レベル「３歳児」と、該当するコメント「安定的でなく、冷静さに乏しい」を検索する。ここで、知能レベルは、色の数に対応して、０歳児から５歳児までの段階毎に対応付けられている。なお、この対応付けは、他のものでも良い。
【００４７】
次に、情報構成手段は、形状をキーとして、形状に対応する知能データを検索し、該当する情報を取得する。図１０は、形状に対応する知能データの例を示す図である。図１０において、情報構成手段は、例えば、形状が「丸」、数量が「４」をキーとして、形状に対応する知能データを検索し、該当する知能レベル「３歳児」と、該当するコメント「多面的に思考できる」を検索する処理を行っている。また、形状が「四角」、数量が「３」をキーとして、該当する知能レベル「３歳児」と、該当するコメント「論理的に思考できる」を検索する。ここで、知能レベルは、形状の数量に対応して、０歳児から５歳児までの段階毎に対応付けられている。なお、この対応付けは、他のものでも良い。
【００４８】
次に、情報出力手段は、情報構成手段が構成した、知能に関する情報である知能レベルと対応するコメントと積木作業情報である積木部品情報を対応づけて、出力する。この出力は，情報解析装置３０３が有するディスプレイに出力するものである。図１１は、積木作業情報と知能に関する情報を出力した表示の例を示した図である。図１１において、情報出力手段は、例えば、場所の一致数が「５」、時間が「５０」、色が「赤」でその数量が「４」、形状が「丸」でその数量が「４」を表示する。また、場所の一致数が「５」の場合に、対応する知能レベルが「３歳児」、そのコメントが「平面図と立体図を結び付けられる段階である」を表示する。
【００４９】
なお、この出力で、すべての知能レベルと対応するコメントと積木作業情報（積木部品情報）を出力したが、いずれか１以上の知能レベルと対応するコメントを出力するものでも良い。
【００５０】
なお、本実施の形態において、各々の知能データは、予め情報構成手段に内蔵のメモリに記録されているものだったが、各々の知能データが、外部装置から送信されて、情報構成手段が取得する、または、手動でそれぞれの知能データを入力する等、カスタマイズできるものである。
【００５１】
また、本実施の形態において、知能に関する情報と積木部品情報は、ディスプレイに表示するものだったが、情報出力部が、音等で知能に関する情報と積木部品情報を知らせる態様、または、印刷する態様でも良い。また、他の装置に、知能に関する情報と積木部品情報を送信する態様でも良い。かかる出力制御は、他の実施の形態においても同様である。
【００５２】
また、本実施の形態において、積木情報送信部は、インターネットを介して情報解析装置に積木部品情報等を送信するものだったが、積木情報送信部が、放送手段等から構成され、積木部品情報等を放送し、情報解析装置の積木部品受信部が、積木部品情報等を受信するものでも良い。かかる態様は、他の実施の形態においても同様である。
【００５３】
また、本実施の形態において、情報構成手段は、積木部品情報を記録するものであったが、別の情報処理装置等が、記録された積木部品情報を利用する場合に、積木部品情報をＤＶＤやＩＣカード等の記録媒体に記録して、かかる記録媒体を移動させて、別の情報処理装置等で積木部品情報を出力するものでも良い。また、情報処理装置等が、ネットワークカードとそのドライバーソフト等を有して構成され、情報構成部に内蔵のメモリに記録された積木部品情報を別の情報処理システムに送信する態様でも良い。かかる態様は、他の実施の形態においても同様である。
【００５４】
以上、本実施の形態において、かかる１以上の積木部品と、情報取得装置と、情報解析装置を有する情報処理システムにより、積木部品情報に基づいて、積木作業情報（例えば、積木部品情報等）または／およびユーザーの知能に関する情報（性格、知的レベル等）を自動的に出力することができるものである。また、積木作業情報または／およびユーザーの知能に関する情報を出力することで、ユーザーの特に、幼児や子供の知能の発育や学習効果等について、容易、かつ、正確に認識できるものである。また、本情報処理システムを、知的障害や身体障害のリハビリに使用することで、知能レベルの回復や障害の改善等に役立つものである。
【００５５】
なお、本実施の形態において説明した情報解析装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における情報解析装置の動作をソフトウェアで実現した場合のプログラムは、以下のようになる。コンピュータに、積木部品情報を受信する積木部品情報受信ステップと、積木部品情報に基づいて、積木作業情報または／およびユーザーの知能に関する情報を出力する情報出力ステップを実行させるプログラムである。
【００５６】
また、本実施の形態における情報取得装置の動作をソフトウェアで実現した場合のプログラムは、以下のようになる。コンピュータに、１以上の積木部品から積木部品情報を取得する積木部品情報取得ステップと、積木部品情報を情報解析装置に送信する積木部品情報送信ステップを実行させるプログラムである。
【００５７】
（実施の形態２）
図１２は、本実施の形態における積木部品１０１０、１０１１および１０１２と、情報取得装置１０２と情報解析装置１２１０を有する情報処理システムの構成を示すブロック図である。情報取得装置１０２は、積木部品情報取得部１０２１、積木部品情報送信部１０２２を有する。情報解析装置１２１０は、積木部品情報受信部１０３１、情報出力部１２１１を有する。また、情報出力部１２１１は、情報構成手段１２１１１、ユーザー属性情報格納手段１２１１２、情報出力手段１２１１３を有する。
【００５８】
情報出力部１２１１の情報構成手段１２１１１は、積木部品情報受信部１０３１が受信した積木部品情報、場所合致情報およびユーザー属性情報に基づいて、積木作業情報または／およびユーザーの知能に関する情報を構成する。このユーザー属性情報は、ユーザー属性情報格納手段１２１１２に格納されている。この構成の詳細は後述する。ここで知能に関する情報は、例えば、性格、知能レベル、学習能力等である。情報構成手段１０３２１は、通常、ソフトウェアから構成されるが、ハードウエア（専用回路）により実現しても良い。
【００５９】
ユーザー属性情報格納手段１２１１２は、ユーザー属性情報格納手段１２１１２に内蔵の記録媒体に、ユーザー属性情報を格納している。ここで、ユーザー属性情報とは、ユーザーの属性に関する情報であり、例えば、年齢、性別等である。ユーザー属性情報格納手段１２１１２は、不揮発性の記録媒体が好適であるが、揮発性の記録媒体でも良い。
【００６０】
情報出力手段１０３２２は、情報構成手段１０３２１が構成した積木作業情報または／およびユーザーの知能に関する情報を出力する。この出力とは、この出力とは、実施の形態１と同様の出力であり、実現手段も同様である。
【００６１】
積木部品１０１０、１０１１、１０１２の動作は、実施の形態１の動作と同様である。
【００６２】
また、情報取得装置１０２の動作は、実施の形態１の動作と同様である。
【００６３】
以下、本実施の形態における情報解析装置１２１０の動作について図１３のフローチャートを用いて説明する。
【００６４】
（ステップＳ１３０１）積木部品情報受信部１０３１は、積木部品情報と場所合致情報を受信したか否かを判断する。当該積木部品情報と場所合致情報を受信すれば、ステップＳ１３０２に行き、受信しなければ、ステップＳ１３０１に戻る。また、積木部品情報と場所合致情報を受信すれば、情報構成手段１２１１１は、積木部品情報受信部１０３１が受信した時刻を積木部品情報と場所合致情報に対応づけて、順次記録する。
【００６５】
（ステップＳ１３０２）情報構成手段１２１１１は、ステップＳ１３０１で最初に積木部品情報を取得した時刻から一定時間経過したか否かを判断する。一定時間経過していれば、ステップＳ１３０３に行き、一定時間経過していなければ、ステップＳ１３０１に戻る。
【００６６】
（ステップＳ１３０３）情報構成手段１２１１１は、各種カウンタを初期化する。また、カウンタｉを１にする。
【００６７】
（ステップＳ１３０４）情報構成手段１２１１１は、ｉ番目の積木部品情報が存在するか否かを判断する。ｉ番目の積木部品情報が存在する場合、ステップＳ１３０５に行く。ｉ番目の積木部品情報が存在しない場合、ステップＳ１３１０に行く。
【００６８】
（ステップＳ１３０５）情報構成手段１２１１１は、ｉ番目の積木部品が所定の位置に置かれたか否かを判断する。この判断は、場所合致情報が「１」の場合に所定の位置に置かれたものとする。所定の位置に置かれた場合、ステップＳ１３０６に行く。所定の位置に置かれていない場合、ステップＳ１３０７に行く。
【００６９】
（ステップＳ１３０６）情報構成手段１２１１１は、カウンタＭを１カウントアップする。このカウンタＭの値は、知能レベルを判断する指標に用いるものであり、例えば、Ｍの増加に比例して、知能レベルも高いこと等が判断できる。
【００７０】
（ステップＳ１３０７）情報構成手段１２１１１は、ｉ番目の積木部品の色と一致する色のカウンタを１カウントアップする。例えば、ｉ番目の積木部品の色が「赤」である場合、該当する「赤」のカウンタを１カウントアップする。ここで、色の数量を算出するのは、情報構成手段１０３２１が、使用された積木部品の色に応じて、知能レベル、性格等を判断するものだからである。
【００７１】
（ステップＳ１３０８）情報構成手段１２１１１は、ｉ番目の積木部品の形状と一致する形状のカウンタを１カウントアップする。例えば、ｉ番目の積木部品の形状が「丸」である場合、該当する「丸」のカウンタを１カウントアップする。ここで、形状の数量を算出するのは、情報構成手段１０３２１が、使用された積木部品の形状に応じて、知能レベル、性格等を判断するものだからである。
【００７２】
（ステップＳ１３０９）情報構成手段１２１１１は、カウンタｉを１カウントアップする。そして、ステップＳ１３０４に戻る。
【００７３】
（ステップＳ１３１０）情報構成手段１２１１１は、ユーザー属性情報格納部１２１１２から、ユーザー属性情報を取得する。
【００７４】
（ステップＳ１３１１）情報構成手段１２１１１は、ステップＳ１３０６で算出したカウンタＭと、ステップＳ１３１０で取得したユーザー属性情報をキーとして、場所合致数に対応する知能データから該当する情報を検索し取得する。また、情報構成手段１２１１１は、積木部品情報を最初に受信した時刻から、最後の積木部品情報が取得した時刻までの時間をキーとして、遊び時間に対応する知能データから該当する情報を検索し取得する。ここで、それぞれの知能データは、情報構成手段１２１１１に内臓のメモリに予め記録されている情報である。知能データは、知能に関する情報であり、例えば、ユーザーの将来の発育に関する情報、場所合致情報、知能レベル、性格、積木部品の色、形状、積木部品で遊んだ時間、ユーザー属性情報等の情報が相互に関係づけられた情報のデータである。なお、この知能データの構造は、問わない。
【００７５】
（ステップＳ１３１２）情報構成手段１２１１１は、すべての積木部品情報の色と、その数量をキーとして、色に対応する知能データから該当する情報を検索し取得する。
【００７６】
（ステップＳ１３１３）情報構成手段１２１１１は、すべての積木部品情報の形状と、その数量をキーとして、形状に対応する知能データから該当する情報を検索し取得する。
【００７７】
（ステップＳ１３１４）情報出力手段１２１１３は、ステップＳ１３１１、ステップＳ１３１２、ステップＳ１２１３で、取得したそれぞれの情報と積木部品情報を出力する。この出力後、動作は終了する。
【００７８】
以上、情報解析装置１２１０が積木部品情報を受信して、当該積木部品情報とユーザー属性情報に基づいて、ユーザーの将来の発育に関する情報を含む積木作業情報または／およびユーザーの知能に関する情報を出力する動作について図１３のフローチャートを用いて説明した。なお、図１３のフローチャートにおいて、情報解析装置１０３の電源がＯＮ状態であり、積木部品情報を受信できる状態にある。
【００７９】
以下、本実施の形態における情報処理システムの具体的な動作について説明する。
【００８０】
情報取得装置と情報解析装置は、インターネットを介して接続されている。また、１以上の積木部品は、それぞれ、無線タグを具備している。この無線タグは、積木部品情報、例えば、識別番号、色、形状等を有している。複数の無線タグリーダーを具備するマット形状の情報取得装置は、マット上に、積木部品がおかれると、無線タグから積木部品情報を受信する。そして、積木部品情報と場所合致情報を情報解析装置に送信する。以上の情報取得装置の動作は、実施の形態１の情報取得装置の動作と同様である。
【００８１】
情報構成手段は、積木部品情報受信部が受信した積木部品情報と場所合致情報から、積木部品が対応する形状図の上におかれた場合のカウンタＭの数量を算出する。この算出も、実施の形態１と同様である。また、使用した積木の色の数量と、形状の数量の算出も、実施の形態１と同様の算出である。
【００８２】
次に、情報構成手段は、ユーザー属性情報格納手段から，ユーザー属性情報を取得する。ここで、ユーザー属性情報は、例えば、年齢等である。なお、ユーザー属性情報は、予めユーザー属性情報格納手段に格納されているものでも良いし、外部装置から送信されて、情報構成手段が取得する、または、手動でユーザー属性情報を入力する等、カスタマイズできるものである。
【００８３】
次に、情報構成手段は、ユーザー属性情報（年齢）とカウンタＭをキーとして、年齢と場所合致数に対応する知能データを検索し、該当する情報を取得する。図１４は、年齢と場所合致数に対応する知能データの例を示す図である。図１４において、情報構成手段は、例えば、年齢の「２」と、Ｍの「５」をキーとして、年齢と場所合致数に対応する知能データを検索し、該当する知能レベル「３歳児」と、将来の発育「将来の知能の発育は良好である。」と、コメント「知能レベルは標準より高い。今後も知育積木を利用して知能を向上させよう。」を検索する処理を行っている。ここで、知能レベルは、Ｍの増加に比例して、０歳児から５歳児までの段階毎に対応付けられている。なお、この対応付けは、他のものでも良い。
【００８４】
次に、情報構成手段は、積木部品情報を最初に受信した時刻から、最後の積木部品情報が取得した時刻までの時間とユーザー属性情報（年齢）をキーとして、年歳と遊び時間に対応する知能データから該当する情報を検索し取得する。今、積木部品情報を最初に受信した時刻から、最後の積木部品情報が取得した時刻までの時間は５０分である。図１５は、年歳と遊び時間に対応する知能データの例を示す図である。図１５において、情報構成手段は、例えば、年齢の「２」と時間の「５０」をキーとして、年齢と遊び時間に対応する知能データを検索し、該当する知能レベル「３歳児」と、将来の発育と、コメントを検索する処理を行っている。ここで、知能レベルは、年齢と時間に対応して、０歳児から５歳児までの段階毎に対応付けられている。なお、この対応付けは、他のものでも良い。
【００８５】
次に、情報構成手段は、ユーザー属性情報（年齢）と色をキーとして、年齢と色に対応する知能データを検索し、該当する情報を取得する。図１６は、年齢と色に対応する知能データの例を示す図である。図１６において、情報構成手段は、例えば、年齢の「２」と、色の「赤」、数量の「４」をキーとして、年齢と色に対応する知能データを検索し、該当する知能レベル「３歳児」と、該当する将来の発育とコメントを検索する処理を行っている。ここで、知能レベルは、年齢と色の数に対応して、０歳児から５歳児までの段階毎に対応付けられている。なお、この対応付けは、他のものでも良い。
【００８６】
次に、情報構成手段は、ユーザー属性情報（年齢）と形状をキーとして、年齢と形状に対応する知能データを検索し、該当する情報を取得する。図１７は、年齢と形状に対応する知能データの例を示す図である。図１７において、情報構成手段は、例えば、年齢の「２」と、形状の「丸」と、数量の「４」をキーとして、年齢と形状に対応する知能データを検索し、該当する知能レベル「３歳児」と、該当する将来の発育とコメントを検索する処理を行っている。ここで、知能レベルは、年齢と形状の数量に対応して、０歳児から５歳児までの段階毎に対応付けられている。なお、この対応付けは、他のものでも良い。
【００８７】
次に、情報出力手段は、情報構成手段が構成した、知能に関する情報である知能レベルと将来の発育とコメントと積木作業情報である積木部品情報を対応づけて、出力する。この出力は、情報解析装置が有するディスプレイに出力するものである。図１８は、知能に関する情報を出力した表示の例を示した図である。図１８において、情報出力手段は、例えば、ユーザー年齢が「２歳」、場所の一致数が「５」、時間が「５０」、色が「赤」でその数量が「４」、形状が「丸」でその数量が「４」を表示する。また、場所の一致数が「５」の場合に、対応する知能レベルが「３歳児」、将来の発育およびコメントを表示する。
【００８８】
なお、この出力で、すべての知能レベルと対応するコメントと積木作業情報（積木部品情報）を出力したが、いずれか１以上の知能レベルと対応するコメントを出力するものでも良い。
【００８９】
なお、本実施の形態において、それぞれの知能データは、予め情報構成手段に内蔵のメモリに記録されているものだったが、このそれぞれの知能データが、外部装置から送信されて、情報構成手段が取得する、または、手動でそれぞれの知能データを入力する等、カスタマイズできるものである。
【００９０】
また、本実施の形態において、ユーザー属性情報は，情報解析装置に格納されているものだったが、情報取得装置がユーザー属性情報を取得して、積木部品情報と対応付けてユーザー属性情報を情報解析装置に送信し、情報解析装置が積木部品情報とユーザー属性情報を受信する構成でも良い。かかる場合、情報取得装置は、ユーザー属性情報を取得するユーザー属性情報取得手段をさらに具備する。ユーザーが、そのユーザー属性情報を記憶する無線タグを具備する服を着用している場合、ユーザー属性情報取得手段は、無線タグリーダーで構成されうる。
【００９１】
また、情報取得装置がユーザー属性情報の識別番号（ＩＤ）を取得して、このＩＤを情報解析装置に送信し、情報解析装置が、かかるＩＤに基づいて、ユーザー属性情報格納手段からユーザー情報を取得するものでも良い。
【００９２】
以上、本実施の形態において、１以上の積木部品と、情報取得装置と、情報解析装置を有する情報処理システムにより、積木部品情報とユーザー属性情報に基づいて、積木作業情報（例えば、積木部品情報等）または／およびユーザーの知能に関する情報（性格、知的レベル、ユーザーの発育に関する情報等）を自動的に出力することができるものである。また、ユーザーの発育に関する情報を出力することで、ユーザーの特に、将来の幼児や子供の知能の発育や学習効果等について、容易、かつ、正確に認識できるものである。また、本情報処理システムを、知的障害や身体障害のリハビリに使用することで、知能レベルの回復や障害の改善等に役立つものである。
【００９３】
なお、本実施の形態において説明した情報処理装置の動作をソフトウェアで実現した場合のプログラムは、以下のようになる。コンピュータに、積木部品情報を受信する積木部品情報受信ステップと、積木部品情報とユーザー属性情報に基づいて、積木作業情報または／およびユーザーの知能に関する情報を出力する情報出力ステップを実行させるプログラムである。
【００９４】
（実施の形態３）
図１９は、本実施の形態における積木部品１０１０、１０１１および１０１２と、情報取得装置１９１０と情報解析装置１９２０を有する情報処理システムの構成を示すブロック図である。情報取得装置１９１０は、積木部品情報取得部１０２１、位置情報取得部１９１２、積木部品情報送信部１９１３を有する。情報解析装置１９２０は、積木部品情報受信部１９２１、情報出力部１９２２を有する。また、情報出力部１９２２は、情報構成手段１９２２１、情報出力手段１９２２２、ユーザー属性情報格納手段１２１１２を有する。
【００９５】
位置情報取得部１９１２は、積木部品が設置された空間内の位置に関する情報である位置情報を取得する。この位置情報は、例えば、電波の強さ、３次元座標等を有する。位置情報取得部１９１２は、通常、ソフトウェアから構成されるが、ハードウエア（専用回路）により実現しても良い。また、積木部品が無線タグを具備する場合、位置情報取得部１９１２は、３つの無線タグリーダー等で構成される。また、位置情報取得部１９１２は、ＣＣＤカメラ等の画像入力手段等や、複数の無線タグリーダーと複数の赤外線センサーの組み合わせ等でも構成されうる。なお、位置情報取得部１９１２は、無線通信手段が好適である。
【００９６】
積木部品情報送信部１９１３は、積木部品情報取得部が取得した積木部品情報と、位置情報取得部が取得した位置情報を対応付けて、情報解析装置１９２０に送信する。積木部品情報送信部１９１３は、例えば、ネットワークカードとそのドライバーソフト等から構成されうる。
【００９７】
積木部品情報受信部１９２１は、積木部品情報送信部１９１３が送信した積木部品情報と位置情報を受信する。積木部品情報受信部１９２１は、例えば、ネットワークカードとそのドライバーソフト等をから構成される。
【００９８】
情報出力部１９２２の情報構成手段１９２２１は、積木部品情報受信部１９２１が受信した１対以上の積木部品情報と位置情報に基づいて、積木作業情報または／およびユーザーの知能に関する情報を構成する。この構成の詳細は後述する。情報構成手段１９２２１は、通常、ソフトウェアから構成されるが、ハードウエア（専用回路）により実現しても良い。
【００９９】
情報出力手段１９２２２は、情報構成手段１９２２１が構成した積木作業情報または／およびユーザーの知能に関する情報を出力する。この出力とは、実施の形態１と同様の出力であり、実現手段も同様である。
【０１００】
以下、本実施の形態における情報処理システムの具体的な動作について説明する。
【０１０１】
情報取得装置２００１と情報解析装置２００３は、インターネットを介して接続されている。また、１以上の積木部品２００２は、それぞれ、無線タグを具備している。この無線タグは、積木部品情報、例えば、識別番号、色、形状等を有している。
【０１０２】
情報取得装置２００１は、２枚の四角形の平板形状のものが、図２０のように形成して構成されている。この２枚の平板形状のものは、それぞれ、（Ｘ−Ｙ）平板２００１１、（Ｘ−Ｚ）平板２０１２を表す。（Ｘ−Ｙ）平板２００１１は、積木部品の（Ｘ，Ｙ）座標を取得できうるように、例えば、無線タグリーダーが図２０のように格子状に配置して貼付している。また、（Ｘ−Ｚ）平板２００１２は、積木部品の（Ｚ）座標を取得できうるように、例えば、無線タグリーダーが図２０のように配置して貼付している。つまり、無線タグを有する積木部品２００２が、（Ｘ−Ｙ）平板上に置かれた場合、すべての無線タグリーダーが、積木部品情報を取得する。また、置かれた積木部品の位置情報は、すべての無線タグリーダーが取得した際の、電波の強さである。この電波の強さから、積木の置かれた３次元座標を、情報解析装置２００４が算出する。図２１は、（Ｘ−Ｙ）平板の無線タグリーダーが取得した積木部品情報と位置情報（電波の強さ）を示す図である。図２１において、積木部品２００２が（Ｘ−Ｙ）平板２００１１上に置かれた場合、識別番号「１」の無線タグリーダーは、積木部品情報の識別番号「１」と色「赤」と形状「四角柱」を取得し、位置情報である電波の強さ「２」を取得する。また、識別番号「２」の無線タグリーダーは、積木部品情報の「赤」と「四角柱」を取得し、位置情報である電波の強さ「５」を取得する。
【０１０３】
積木部品情報送信部は、積木部品情報取得部が取得した積木部品情報と、位置情報取得部が取得した位置情報を対応付けて、情報解析装置２００３に送信する。
【０１０４】
情報解析装置２００３の積木部品情報受信部は、積木部品情報送信部が送信した積木部品情報と位置情報を受信する。そして、情報構成手段は、受信した積木部品情報と位置情報と対応づけて、一時蓄積する。
【０１０５】
情報構成手段は、積木部品情報の識別番号ごとに、位置情報から，積木部品の３次元座標を求める。具体的には、２次元の平面座標を求めるために、（Ｘ−Ｙ）平板２００１１に貼付のすべての無線タグリーダーが取得した位置情報（電波の強さ）のうち、最大値の位置情報（電波の強さ）「５」に対応する、無線タグリーダーの識別番号「１」を検出する。次に、算出した識別番号「１」を検索キーとして、予め情報構成手段に記録してある無線タグリーダー座標のデータから、該当する座標「（Ｘ１，Ｙ１）」を検索する。図２２は、（Ｘ−Ｙ）平板の無線タグリーダーの座標のデータの例を示す図である。図２２において、座標データは、例えば、識別番号が「１」である無線タグリーダーの（Ｘ−Ｙ）平板の上の座標（Ｘ１，Ｙ１）を示す。次に、高さ方向の座標を求める。（Ｘ−Ｚ）平板２００１２に貼付のすべての無線タグリーダーが取得した位置情報（電波の強さ）のうち、最大値の位置情報（電波の強さ）に対応する、無線タグリーダーの識別番号を検出する。次に、算出した識別番号を検索キーとして、予め情報構成手段に記録してある無線タグリーダー座標のデータから、該当する座標「（Ｚ１）」を検索する。図２３は、（Ｘ−Ｚ）平板の無線タグリーダーの座標のデータの例を示す図である。図２３において、座標データは、例えば、識別番号が「１」である無線タグリーダーの（Ｘ−Ｚ）平板の上の座標（Ｚ１）を示す。
【０１０６】
次に、情報構成手段は、（Ｘ−Ｙ）平板２００１１に貼付のすべての無線タグリーダーから算出した最大値の位置情報（電波の強さ）「５」に対応する積木部品情報のみを取得し、検索した座標（Ｘ１，Ｙ１，Ｚ１）と対応付けて一時蓄積する。
【０１０７】
情報構成手段は、積木部品情報の識別番号ごとに、以上の処理を繰り返す。
【０１０８】
次に、情報構成手段は、一時蓄積した積木部品の座標（Ｘ，Ｙ，Ｚ）から、高さ方向の座標（Ｚ）が、Ｐ１、Ｐ２、Ｐ３等であるか否かを判断し、積木部品が、３次元的に組み立てられたものか否かを判断する。具体的に、座標（Ｚ）が、Ｐ１のとき、Ｐ１のカウンタを１カウントアップする。また、座標（Ｚ）が、Ｐ２のとき、Ｐ２のカウンタを１カウントアップする。ここで、Ｐ１は、積木の高さが１段であることを意味する。また、Ｐ２は、積木の高さが２段であることを意味する。また、Ｐ３は、積木の高さが３段であることを意味する。なお、位置情報取得部がＣＣＤカメラを有して構成され、位置情報がＣＣＤカメラで取得した画像データである場合、情報構成手段は、この画像データから輪郭を抽出する処理して、当該輪郭と、予めメモリに記録してある３次元の積木の輪郭データ（例えば、積木が３つ重ねられた状態の輪郭データ）を比較し、ほぼ近似する場合に、積木が３次元的であると判断しても良い。
【０１０９】
次に、情報構成手段は、座標（Ｘ，Ｙ，Ｚ）と対応付けて一時蓄積した積木部品情報から、積木部品情報の色の数量と、その形状の数量の算出を行う。この算出は、実施の形態１と同様の算出である。
【０１１０】
次に、情報構成手段は、ユーザー属性情報格納手段から、ユーザー属性情報（年齢）と取得する。
【０１１１】
次に、情報構成手段は、ユーザー属性情報と座標（Ｚ）をキーとして、年齢と座標（Ｚ）に対応する知能データを検索し、該当する情報を取得する。図２４は、年齢と座標（Ｚ）に対応するに対応する知能データの例を示す図である。図２４において、情報構成手段は、例えば、年齢の「２」、座標（Ｚ）の「Ｐ２」および数量の「５」をキーとして、年齢と座標（Ｚ）に対応する知能データを検索し、該当する知能レベル「３歳児」と、将来の発育「将来良好である。」と、コメント「知能レベルは標準より高い。今後も知育積木を利用して知能を向上させよう。」を検索する処理を行っている。ここで、知能レベルは、「Ｐ２」の数量の増加に比例して、０歳児から５歳児までの段階毎に対応付けられている。なお、この対応付けは、他のものでも良い。なお、座標（Ｚ）のみをキーとして、座標（Ｚ）に対応する知能データから、該当する情報を取得するものでも良い。
【０１１２】
次に、情報構成手段は、ユーザー属性情報と色をキーとして、ユーザー属性情報と色に対応する知能データを検索し、該当する情報を取得する。この取得は、実施の形態２と同様の取得である。なお、実施の形態１と同様に、色のみをキーとして、色に対応する知能データから、該当する情報を取得するものでも良い。
【０１１３】
次に、情報構成手段は、ユーザー属性情報と形状をキーとして、年齢と形状に対応する知能データを検索し、該当する情報を取得する。この取得は、実施の形態２と同様の取得である。なお、実施の形態１と同様に、形状のみをキーとして、形状に対応する知能データから、該当する情報を取得するものでも良い。
【０１１４】
次に、情報出力手段は、情報構成手段が構成した、知能に関する情報である知能レベルと将来の発育とコメントと積木作業情報である積木部品情報を対応づけて、出力する。この出力は、情報解析装置が有するディスプレイに出力するものである。図２５は、積木作業情報と知能に関する情報を出力した表示の例を示す図である。図２５において、情報出力手段は、例えば、ユーザー年齢が「２歳」、座標（Ｚ）の「２段積」の数量「５」、「３段積」の数量「１」、色が「赤」でその数量が「４」、形状が「丸」でその数量が「４」を表示する。また、座標（Ｚ）が「Ｐ２」の数量「５」の場合に、対応する知能レベルが「３歳児」、将来の発育およびコメントを表示する。
【０１１５】
なお、この出力で、すべての知能レベルと対応するコメントと積木作業情報（積木部品情報）を出力したが、いずれか１以上の知能レベルと対応するコメントを出力するものでも良い。
【０１１６】
以上、本実施の形態において、１以上の積木部品と、情報取得装置と、情報解析装置を有する情報処理システムにより、一対以上の位置情報と積木部品情報に基づいて、積木作業情報（例えば、積木部品情報等）または／およびユーザーの知能に関する情報（性格、知的レベル、ユーザーの発育に関する情報等）を自動的に出力することができるものである。また、ユーザーの発育に関する情報を出力することで、ユーザーの特に、将来の幼児や子供の知能の発育や学習効果等について、容易、かつ、正確に認識できるものである。また、本情報処理システムを、知的障害や身体障害のリハビリに使用することで、知能レベルの回復や障害の改善等に役立つものである。
【０１１７】
なお、本実施の形態において説明した情報取得装置の動作をソフトウェアで実現した場合のプログラムは、以下のようになる。コンピュータに、１以上の積木部品から積木部品情報を取得する積木部品情報取得ステップと、積木部品が設置された空間内の位置に関する情報である位置情報を取得する位置情報取得ステップと、積木部品情報と位置情報を情報解析装置に送信する積木部品情報送信ステップを実行させるプログラムである。
【０１１８】
また、本実施の形態において説明した情報解析装置の動作をソフトウェアで実現した場合のプログラムは、以下のようになる。コンピュータに、積木部品情報と位置情報を受信する積木部品情報受信ステップと、積木部品情報と位置情報に基づいて、積木作業情報または／およびユーザーの知能に関する情報を出力する情報出力ステップを実行させるプログラムである。
【０１１９】
また、コンピュータに、積木部品情報と位置情報を受信する積木部品情報受信ステップと、積木部品情報と位置情報とユーザー属性情報に基づいて、積木作業情報または／およびユーザーの知能に関する情報を出力する情報出力ステップを実行させるプログラムである。
【発明の効果】
本発明によれば、積木部品情報（色、形状等）に基づいて、積木作業情報（例えば、積木部品情報等）または／およびユーザーの知能に関する情報（性格、知的レベル、ユーザーの発育に関する情報等）を出力することができる。
【図面の簡単な説明】
【図１】実施の形態１における情報処理システムの構成を示すブロック図
【図２】実施の形態１における情報解析装置の動作について説明するフローチャート
【図３】実施の形態１の情報処理システムの外観を示す図
【図４】実施の形態１におけるマット上の積木部品の外観の例を示す図
【図５】実施の形態１における積木部品情報と場所合致情報の例を示す図
【図６】実施の形態１における積木部品情報、場所合致情報および受信時刻の例を示す図
【図７】実施の形態１における場所合致数に対応する知能データの例を示す図
【図８】実施の形態１における遊び時間に対応する知能データの例を示す図
【図９】実施の形態１における色に対応する知能データの例を示す図
【図１０】実施の形態１における形状に対応する知能データの例を示す図
【図１１】実施の形態１における積木作業情報と知能に関する情報を出力した表示の例を示す図
【図１２】実施の形態２における情報処理システムの構成を示すブロック図
【図１３】実施の形態２における情報解析装置の動作について説明するフローチャート
【図１４】実施の形態２における年齢と場所合致数に対応する知能データの例を示す図
【図１５】実施の形態２における年歳と遊び時間に対応する知能データの例を示す図
【図１６】実施の形態２における年齢と色に対応する知能データの例を示す図
【図１７】実施の形態２における年齢と形状に対応する知能データの例を示す図
【図１８】実施の形態２における積木作業情報と知能に関する情報を出力した表示の例を示す図
【図１９】実施の形態３における情報処理システムの構成を示すブロック図
【図２０】実施の形態３における情報取得装置２００１の外観の例を示す図
【図２１】実施の形態３における積木部品情報と位置情報（電波の強さ）を示す図
【図２２】実施の形態３における無線タグリーダーの座標のデータの例を示す図
【図２３】実施の形態３における無線タグリーダーの座標のデータの例を示す図
【図２４】実施の形態３における年齢と座標（Ｚ）に対応する知能データの例を示す図
【図２５】実施の形態３における積木作業情報と知能に関する情報を出力した表示の例を示す図
【符号の説明】
１０２、３０２、１９１０、２００１  情報取得装置
１０３、３０３、１２１０、１９２０、２００３  情報解析装置
３０１、１０１０、１０１１、１０１２、４０１、２００２、３０１１  積木部品
４０２  マット
１０２１  積木部品情報取得部
１０２２、１９１３  積木部品情報送信部
１０３１、１９２１  積木部品情報受信部
１０３２、１２１１、１９２２  情報出力部
１９１２  位置情報取得部
３０２１  形状図
１０３２１、１２１１１、１９２２１  情報構成手段
１０３２２、１２１１３、１９２２２  情報出力手段
１２１１２  ユーザー属性情報格納手段
【図１】
2004271960.tif 000003
【図２】
2004271960.tif 000004
【図３】
2004271960.tif 000005
【図４】
2004271960.tif 000006
【図５】
2004271960.tif 000007
【図６】
2004271960.tif 000008
【図７】
2004271960.tif 000009
【図８】
2004271960.tif 000010
【図９】
2004271960.tif 000011
【図１０】
2004271960.tif 000012
【図１１】
2004271960.tif 000013
【図１２】
2004271960.tif 000014
【図１３】
2004271960.tif 000015
【図１４】
2004271960.tif 000016
【図１５】
2004271960.tif 000017
【図１６】
2004271960.tif 000018
【図１７】
2004271960.tif 000019
【図１８】
2004271960.tif 000020
【図１９】
2004271960.tif 000021
【図２０】
2004271960.tif 000022
【図２１】
2004271960.tif 000023
【図２２】
2004271960.tif 000024
【図２３】
2004271960.tif 000025
【図２４】
2004271960.tif 000026
【図２５】
2004271960.tif 000027